(57)【要約】【課題】  変色効果を有するヒールを提供する。【解決手段】  内部に収容部が形成されると共に、該収容部の両側に位置決め溝が形成される透明のヒールと、前記収容部の位置決め溝に収容され、上に異なる色を有する複数の発光体と、該発光体を制御する集積回路と、該発光体の電力を提供する電源と、該電源と集積回路を制御するためスイッチを有する制御部材が設けられる回路板と、前記収容部を封閉すると共に、スイッチを設置するため孔が形成されるカバーとを備えることを特徴とする。【選択図】  図２
0003104864.tif 000002
【実用新案登録請求の範囲】
【請求項１】
内部に収容部が形成されると共に、該収容部の両側に位置決め溝が形成される透明のヒールと、
前記収容部の位置決め溝に収容され、上に異なる色を有する複数の発光体と、該発光体を制御する集積回路と、該発光体の電力を提供する電源と、該電源と集積回路を制御するためスイッチを有する制御部材が設けられる回路板と、
前記収容部を封閉すると共に、スイッチを設置するため孔が形成されるカバーとを備えることを特徴とする変色効果を有するヒール。
【請求項２】
前記ヒールの周縁における収容部に幅が収容部より大きい開口が形成され、該収容部の両側に位置決めブロックが設けられ、カバーが該開口に設けられることを特徴とする請求項１に記載の変色効果を有するヒール。
【請求項３】
前記位置決めブロックにねじ孔が形成されると共に、カバーに位置決めブロックのねじ孔に対応する貫通孔が形成され、該ねじ孔と貫通孔にボルトが設けられ、又、前記カバーの内側に回路板の周縁を挟持するため複数の挟持ブロックが設けられることを特徴とする請求項２に記載の変色効果を有するヒール。
【考案の詳細な説明】
【技術分野】
【０００１】
本考案は、特に変色効果を有するヒールに関するものである。
【背景技術】
【０００２】
靴は足を保護する効果を提供するだけではなく、衣裳の飾り効果も有し、特に女性に人気があるハイヒールは、保護効果より飾り効果のほうが注目されている。
【考案の開示】
【考案が解決しようとする課題】
【０００３】
しかしながら、飾り効果を向上するため、前記のようなハイヒールに発光体を設けるものが提案されていたが、該発光体は単色の光を発光しかないので、ハイヒールの飾り効果を足りない。   
そこで、案出されたのが本考案であって、変色効果を有するヒールを提供することを目的としている。
【課題を解決するための手段】
【０００４】
本願の請求項１の考案は、内部に収容部が形成されると共に、該収容部の両側に位置決め溝が形成される透明のヒールと、
前記収容部の位置決め溝に収容され、上に異なる色を有する複数の発光体と、該発光体を制御する集積回路と、該発光体の電力を提供する電源と、該電源と集積回路を制御するためスイッチを有する制御部材が設けられる回路板と、
前記収容部を封閉すると共に、スイッチを設置するため孔が形成されるカバーとを備えることを特徴とする変色効果を有するヒール及び、
本願の請求項２の考案は、前記ヒールの周縁における収容部に幅が収容部より大きい開口が形成され、該収容部の両側に位置決めブロックが設けられ、カバーが該開口に設けられることを特徴とする請求項１に記載の変色効果を有するヒール及び、
本願の請求項３の考案は、前記位置決めブロックにねじ孔が形成されると共に、カバーに位置決めブロックのねじ孔に対応する貫通孔が形成され、該ねじ孔と貫通孔にボルトが設けられ、又、前記カバーの内側に回路板の周縁を挟持するため複数の挟持ブロックが設けられることを特徴とする請求項２に記載の変色効果を有するヒール、を提供する。
【考案の効果】
【０００５】
本考案は上記の課題を解決するものであり、スイッチと集積回路によって回路板における発光体が異なる色を発光することにより、ヒールの変化性、美観性及び装飾性を向上することができる。
【考案を実施するための最良の形態】
【０００６】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。   
図１は本考案に係る変色効果を有するヒールの使用状態を示す斜視図であり、図２は本考案に係る変色効果を有するヒールの分解斜視図であり、図３は本考案に係る変色効果を有するヒールの部分断面図であり、図４は本考案に係る変色効果を有するヒールの回路を示す回路図である。   
図１乃至図３に示すように、本考案に係る変色効果を有するヒールは透明の材質からなるヒール（１０）を有し、該ヒール（１０）に収容部（１２）が形成され、ヒール（１０）の周縁における収容部（１２）に幅が収容部（１２）より大きい開口（１２４）が形成されると共に、両側にねじ孔（１２６）を有する位置決めブロック（１２５）が設けられ、該位置決めブロック（１２５）と収容部（１２）の上側との間に位置決め溝（１２２）が形成される。   
前記収容部（１２）に回路板（１４）が収容され、該回路板（１４）の両側が位置決め溝（１２２）に位置決められ、図４に示すように、該回路板（１４）に異なる色を有する複数の発光体（１４２）と、該発光体（１４２）を制御する集積回路（１４６）と、該発光体（１４２）の電力を提供する電池などの電源（１４４）と、該電源（１４４）と集積回路（１４６）を制御するためスイッチ（１４９）を有する制御部材（１４８）が設けられることにより、使用者はスイッチ（１４９）を押圧すると、回路板（１４）における集積回路（１４６）によって発光体（１４２）の発光効果を制御することができる。   
又、前記ヒール（１０）における収容部（１２）の開口（１２４）に該収容部（１２）を封閉するためのカバー（１８）が設けられ、該カバー（１８）に位置決めブロック（１２５）のねじ孔（１２６）に対応する貫通孔（１８４）が形成され、ボルト（１９）がカバー（１８）の貫通孔（１８４）と位置決めブロック（１２５）のねじ孔（１２６）を貫通することにより、カバー（１８）を開口（１２４）に設置すると共に、カバー（１８）の内側が位置決めブロック（１２５）と密接する。又、前記カバー（１８）に制御部材（１４８）のスイッチ（１４９）を設置するため孔（１８２）がけいせいされる。   
又、前記カバー（１８）の内側に回路板（１４）の周縁を挟持するため複数の挟持ブロック（１８６）が設けられることにより、カバー（１８）を収容部（１２）の開口（１２４）から取り外す場合、回路板（１４）をカバー（１８）と一緒に収容部（１２）から取り出すことができるので、電池の交換は非常に簡単である。
【産業上の利用可能性】
【０００７】
本考案は上記の構成を有するので、スイッチと集積回路によって回路板における発光体が異なる色を発光することにより、ヒールの変化性、美観性及び装飾性を向上することができる。
【図面の簡単な説明】
【０００８】
【図１】本考案に係る変色効果を有するヒールの使用状態を示す斜視図である。
【図２】本考案に係る変色効果を有するヒールの分解斜視図である。
【図３】本考案に係る変色効果を有するヒールの部分断面図である。
【図４】本考案に係る変色効果を有するヒールの回路を示す回路図である。
【符号の説明】
【０００９】
１０        ヒール
１２        収容部
１２２      位置決め溝
１２４      開口
１２５      位置決めブロック
１２６      ねじ孔
１４        回路板
１４２      発光体
１４４      電源
１４６      集積回路
１４８      制御部材
１４９      スイッチ
１８        カバー
１８２      孔
１８４      貫通孔
１８６      挟持ブロック
１９        ボルト
【図１】
0003104864.tif 000003
【図２】
0003104864.tif 000004
【図３】
0003104864.tif 000005
【図４】
0003104864.tif 000006